(57)【要約】【課題】  無端ベルトの外側にブラシ毛を多数植毛したブラシベルトコンベヤのブラシ毛の毛先がメダルの表面との繰り返し接触することで、ブラシ毛の毛先が摩耗してエッジが失われて丸味を帯びること及びエッジにゴミ・汚れが付着することでブラシ毛による付着物の剥離力が低下することを防止し、ブラシベルトコンベヤの剥離力・清掃力を高く且つ長時間維持できるようにする。【解決手段】  メダルの搬送路の途中に無端ベルトの外側に多数のブラシ毛を植毛したブラシベルトコンベヤを上下対向して設け、搬送されるメダルを対向する前記ブラシベルトコンベヤのブラシ毛の毛先で清掃するとともに、同ブラシ毛に間欠的にブラシ研磨板８１を接触させて、ブラシ毛を研磨して毛先にエッジを回復させ且つこれらに付着したゴミ・汚れも剥離し、剥離物を空気負圧で空気とともに吸引して回収する剥離物回収装置を備える。【選択図】図１
2017058968.tif 000002
【特許請求の範囲】
【請求項１】
メダル・コイン又は厚みが薄い偏平な物品である小物を搬送する搬送路の途中に、少なくとも一方のリターンローラが強制駆動される二つのリターンローラ間に無端ベルトを張架し、同無端ベルトの外側面にブラシ毛を多数植生して構成された２つのブラシベルトコンベヤを対置するとともに、各ブラシベルトコンベヤの対向した外側面に植毛したブラシの間に小物の搬送路を形成し、前記対向した無端ベルトに植生したブラシの間を通過する小物の表面及び裏面にブラシ毛が接触してブラシ毛の毛先で小物の表面に付着したゴミ・汚れ及びその他の付着物を剥離して小物を清掃するブラシ清掃装置において、前記ブラシにより小物表面から剥離された剥離物を空気とともに吸引して捕捉して除去する空気吸引式剥離物回収装置を設け、対向する一対のブラシベルトコンベヤのブラシのブラシ毛の先端を定期的又は非定期的にブラシ研磨体に接触させてブラシ毛の先端を研磨してこの先端にエッジを回復させるブラシ研磨装置を設け、ブラシ毛の先端をブラシ研磨体によって研磨することでブラシ先端のエッジを回復して付着物の剥離力を高く且つ長時間維持できることを特徴とする、ブラシ清掃装置。
【請求項２】
前記ブラシ研磨装置は、対向した一対の各ブラシベルトコンベヤのブラシの外側に同ブラシの植生巾以上の巾寸法の研磨層を表面に有する平板状のブラシ研磨体を配置し、同ブラシ研磨体をブラシベルトコンベヤのブラシと接触できるように接離方向に動く構造とした、請求項１記載のブラシ清掃装置。
【請求項３】
ブラシ研磨装置が、ブラシ研磨体をブラシベルトコンベヤのブラシに対し離反又は近接させるように付勢するスプリングと、ブラシ研磨体を同ブラシに対しスプリングの付勢方向と逆方向に動かす電磁ソレノイドとを備え、電磁ソレノイドの通電のＯＮ・ＯＦＦ制御でブラシ研磨体を前記ブラシと接離できるようにした、請求項１又は２記載のブラシ清掃装置。
【請求項４】
請求項１〜３のブラシ清掃装置において、小物の搬送路となる途中位置の装置ケーシングに直方体形状の空所を設け、同空所の直方体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って上下対のブラシベルトコンベヤを箱体壁に支持するとともに、各ブラシベルトコンベヤの外側で箱体内にブラシ毛研磨装置を上下それぞれ配置し、上下対となるブラシベルトコンベヤのリターンローラの回転軸を箱体壁面から突出した位置に平ギアを軸着し且つ上下対となるリターンローラの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクターと接続可能とした、請求項１〜３記載の回転ブラシ清掃装置。
【請求項５】
リターンローラの各回転軸に軸着した平ギアの中央側寄りとなる回転軸位置にベアリングを装着し、箱体の対向する左右側壁それぞれに上下対のリターンローラの前記ベアリング部分を上から挿入して搬送方向及び左右方向に拘束できる縦溝を複数本設けるとともに、箱体の左右壁の縦溝に上下対の２個のリターンローラのベアリングを挿入して下方のベアリングは縦溝の溝底で受け、上方のベアリングは下方のベアリングの上に載せ、上下対向のブラシベルトのブラシの毛先部分に箱体内搬送路が位置するように溝底の高さを調整し、箱体の内部の下部に下側となる回転ブラシを研磨する前記ブラシ研磨装置を取付け、箱体の天井面となる蓋体を箱体に取り外し自在に設け、同蓋体は前記縦溝に挿入された上下２個のベアリングを上方から押えるベアリング押え片を有し、しかも挿入される上側の回転ブラシのブラシ毛を研磨する上方の前記ブラシ研磨装置を蓋体側に取付けた、請求項４記載の回転ブラシ清掃装置。
【請求項６】
請求項１〜５いずれか記載のブラシ清掃装置の小物の前記搬送路の上流側に、回転盤上面の外周領域にブラシ毛を上方向に植毛し、その上方に固定したブラシ毛を下方向に植毛し、回転盤の上面の中央領域の上方に使用済み小物の小物投入口を設け、回転盤の上面の中央領域を同小物投入口から投入される小物の受面とし、落下した小物を回転盤の中央領域で受けて前記回転盤の下側ブラシ毛と固定の上側ブラシ毛との間の方向に前記回転盤の回転の遠心力でもって移動させて小物を上下のブラシ毛間を通過させて１次的に清掃して前記搬送路へ送り出す構造の回転盤式１次小物清掃装置を設け、同回転盤式１次小物清掃装置で小物を１次的に清掃したものを前記ブラシ清掃装置の搬送路へ送り込んで、同ブラシ清掃装置の対向した前記ブラシベルトコンベヤと空気吸引式剥離物回収装置とブラシ研磨装置とで２次清掃する、小物清掃装置。
【請求項７】
小物が遊技店の遊技機で使用されるメダルである、請求項１〜５いずれか記載のブラシ清掃装置。
【請求項８】
小物が遊技店の遊技機で使用されるメダルである、請求項６記載の小物清掃装置。
【発明の詳細な説明】
【技術分野】
【０００１】
本発明は、メダル・コイン又は厚みの薄い小型の金属プレート等の小物の表面及び裏面の汚れ・付着しているゴミ・微粒子等を対向した対のブラシベルトコンベヤのブラシ毛で剥離して除去するブラシ清掃装置及びこれを使用した小物清掃装置に関する。
【背景技術】
【０００２】
上下対向した円筒状の回転ブラシのブラシ毛の間にメダルを通過させて回転しているブラシ毛でメダルの表面・裏面の汚れ・ゴミ等の付着物を剥離して除去してメダルを清掃する回転ブラシ清掃装置が、特許文献１，２で公知となっている。
【０００３】
この回転ブラシのブラシ毛の先端がメダルとの繰り返し接触によってブラシ毛の毛先端が摩耗によって図７の（ｂ）の如く丸味を帯びると、メダルの表面の微小な凹凸に付着したゴミ・汚れ・粒状物の剥離力が低下し、装置としての清掃力が弱くなるという問題点があった。又、ブラシ毛の毛先のエッジに汚れ・ゴミが固着して離れなくなってもブラシ毛による剥離力が低下していた。
又、回転ブラシのブラシ毛と小物との接触時間が短い為、小物の付着物の剥離・清掃が不充分な場合があった。
【先行技術文献】
【特許文献】
【０００４】
【特許文献１】特開２０１１−０１９５８９号公報
【特許文献２】特開２０１１−０６７２５７号公報
【発明の概要】
【発明が解決しようとする課題】
【０００５】
本発明が解決しようとする課題は、ブラシ毛と小物との接触時間が長くできて剥離力・清掃力が基本的に高くでき、それに加えてブラシ毛の毛先がメダル等の小物の表面との繰り返し接触による摩耗によって丸味を帯びて剥離力が低下すること及びブラシ毛の毛先のエッジに汚れ・ゴミが固着することにより剥離力の低下することを防止し、長時間使用してもブラシによる剥離力・清掃力の低下がない長時間メンテナンスフリーのブラシ清掃装置及びこれを使用した小物清掃装置を提供することにある。
【課題を解決するための手段】
【０００６】
かかる課題を解決した本発明の構成は、
１）  メダル・コイン又は厚みが薄い偏平な物品である小物を搬送する搬送路の途中に、少なくとも一方のリターンローラが強制駆動される二つのリターンローラ間に無端ベルトを張架し、同無端ベルトの外側面にブラシ毛を多数植生して構成された２つのブラシベルトコンベヤを対置するとともに、各ブラシベルトコンベヤの対向した外側面に植毛したブラシの間に小物の搬送路を形成し、前記対向した無端ベルトに植生したブラシの間を通過する小物の表面及び裏面にブラシ毛が接触してブラシ毛の毛先で小物の表面に付着したゴミ・汚れ及びその他の付着物を剥離して小物を清掃するブラシ清掃装置において、前記ブラシにより小物表面から剥離された剥離物を空気とともに吸引して捕捉して除去する空気吸引式剥離物回収装置を設け、対向する一対のブラシベルトコンベヤのブラシのブラシ毛の先端を定期的又は非定期的にブラシ研磨体に接触させてブラシ毛の先端を研磨してこの先端にエッジを回復させるブラシ研磨装置を設け、ブラシ毛の先端をブラシ研磨体によって研磨することでブラシ先端のエッジを回復して付着物の剥離力を高く且つ長時間維持できることを特徴とする、ブラシ清掃装置
２）  前記ブラシ研磨装置は、対向した一対の各ブラシベルトコンベヤのブラシの外側に同ブラシの植生巾以上の巾寸法の研磨層を表面に有する平板状のブラシ研磨体を配置し、同ブラシ研磨体をブラシベルトコンベヤのブラシと接触できるように接離方向に動く構造とした、前記１）記載のブラシ清掃装置
３）  ブラシ研磨装置が、ブラシ研磨体をブラシベルトコンベヤのブラシに対し離反又は近接させるように付勢するスプリングと、ブラシ研磨体を同ブラシに対しスプリングの付勢方向と逆方向に動かす電磁ソレノイドとを備え、電磁ソレノイドの通電のＯＮ・ＯＦＦ制御でブラシ研磨体を前記ブラシと接離できるようにした、前記１）又は２）記載のブラシ清掃装置
４）  前記１）〜３）のブラシ清掃装置において、小物の搬送路となる途中位置の装置ケーシングに直方体形状の空所を設け、同空所の直方体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って上下対のブラシベルトコンベヤを箱体壁に支持するとともに、各ブラシベルトコンベヤの外側で箱体内にブラシ毛研磨装置を上下それぞれ配置し、上下対となるブラシベルトコンベヤのリターンローラの回転軸を箱体壁面から突出した位置に平ギアを軸着し且つ上下対となるリターンローラの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクターと接続可能とした、前記１）〜３）記載の回転ブラシ清掃装置
５）  リターンローラの各回転軸に軸着した平ギアの中央側寄りとなる回転軸位置にベアリングを装着し、箱体の対向する左右側壁それぞれに上下対のリターンローラの前記ベアリング部分を上から挿入して搬送方向及び左右方向に拘束できる縦溝を複数本設けるとともに、箱体の左右壁の縦溝に上下対の２個のリターンローラのベアリングを挿入して下方のベアリングは縦溝の溝底で受け、上方のベアリングは下方のベアリングの上に載せ、上下対向のブラシベルトのブラシの毛先部分に箱体内搬送路が位置するように溝底の高さを調整し、箱体の内部の下部に下側となる回転ブラシを研磨する前記ブラシ研磨装置を取付け、箱体の天井面となる蓋体を箱体に取り外し自在に設け、同蓋体は前記縦溝に挿入された上下２個のベアリングを上方から押えるベアリング押え片を有し、しかも挿入される上側の回転ブラシのブラシ毛を研磨する上方の前記ブラシ研磨装置を蓋体側に取付けた、前記４）記載の回転ブラシ清掃装置
６）  前記１）〜５）いずれか記載のブラシ清掃装置の小物の前記搬送路の上流側に、回転盤上面の外周領域にブラシ毛を上方向に植毛し、その上方に固定したブラシ毛を下方向に植毛し、回転盤の上面の中央領域の上方に使用済み小物の小物投入口を設け、回転盤の上面の中央領域を同小物投入口から投入される小物の受面とし、落下した小物を回転盤の中央領域で受けて前記回転盤の下側ブラシ毛と固定の上側ブラシ毛との間の方向に前記回転盤の回転の遠心力でもって移動させて小物を上下のブラシ毛間を通過させて１次的に清掃して前記搬送路へ送り出す構造の回転盤式１次小物清掃装置を設け、同回転盤式１次小物清掃装置で小物を１次的に清掃したものを前記ブラシ清掃装置の搬送路へ送り込んで、同ブラシ清掃装置の対向した前記ブラシベルトコンベヤと空気吸引式剥離物回収装置とブラシ研磨装置とで２次清掃する、小物清掃装置
７）  小物が遊技店の遊技機で使用されるメダルである、前記１）〜５）いずれか記載のブラシ清掃装置
８）  小物が遊技店の遊技機で使用されるメダルである、前記６）記載の小物清掃装置
にある。
【発明の効果】
【０００７】
本発明によれば、一対の対向するブラシベルトコンベヤを使うことでベルト往路・復路長さの長い上下のブラシの間に小物を搬送することで、ブラシ毛と小物の接触時間を長くできて、その剥離力と清掃力を基本的に高める。その上、ブラシ研磨装置を作動させることで、ブラシベルトコンベヤに植生したブラシに定期的又は不定期的にブラシ研磨体を接触させてブラシ毛先端をブラシ研磨体の表面の研磨層に当ててブラシ毛先端を研磨し、ブラシの毛先のエッジ部に付着したゴミ・汚れ等の付着物を引き剥して排除するとともに、丸味を帯びた図７の（ｂ）のブラシ毛の毛先を図７の（ｃ）の如くエッジを作るようにブラシの毛先を研ぎ、ブラシの毛先のエッジを回復して、この回復されるエッジによって小物の表面裏面の凹凸の隅にある汚れ・ゴミ等をよく掻き出して、剥離力の低下を防止し、剥離力を長く維持することでブラシの清掃力を高く長時間維持できるようにする。
【０００８】
更に、ブラシベルトコンベヤとブラシ研磨装置の構成を箱体に装置して別体の箱体装置とし、この箱体装置をブラシ清掃装置の本体側となる装置ケーシングの搬送路の途中の空所に脱着自在に取付けて動力・電源を本体側から伝達できる構造とすれば、ブラシベルトコンベヤ及びブラシ研磨装置の清掃・交換・点検・検査・補修を箱体装置を空所から取り外して行えるので、これらの清掃等の作業が迅速且つ容易に行える。
【０００９】
又、箱体の縦溝にブラシベルトコンベヤのリターンローラ及び中間ローラの軸端のベアリングを挿入して蓋体で軸支できる構造とするものでは、箱体装置を空所から取り外して蓋体を外せばブラシベルトコンベヤ・ブラシ研磨装置が露出できて、これらの部品の清掃・交換・補修・点検が更に迅速且つ容易にできる。
【００１０】
更に、本発明のブラシ清掃装置の小物の搬送路の上流側に回転盤式１次小物清掃装置を設ければ、更に小物の清掃力をより高めることができる。
【図面の簡単な説明】
【００１１】
【図１】図１は、実施例１の構造を示す説明図である。
【図２】図２は、実施例１の回転盤式１次清掃装置の分解斜視図である。
【図３】図３は、実施例１のブラシ清掃装置のブラシベルトコンベヤとその駆動機構を示す説明図である。
【図４】図４は、実施例１の研磨体を示す一部切欠分解図である。
【図５】図５は、実施例１の研磨体と上下対向するブラシベルトコンベヤとその駆動機構を示す説明図である。
【図６】図６は、実施例１のブラシベルトコンベヤのブラシ毛とメダルとの接触状態を示す説明図である。
【図７】図７は、実施例１のブラシベルトコンベヤのブラシ毛の毛先端部の状態を示す説明図である。
【図８】図８は、実施例１のメダルの清掃状態を示す説明図である。
【図９】図９は、実施例２の中間ローラに代え抑え板を使用した変形例を示す説明図である。
【図１０】図１０は、実施例３の小物清掃装置の構造を示す説明図である。
【図１１】図１１は、実施例３の箱体装置を空所より抜き出した状態を示す説明図である。
【図１２】図１２は、実施例３の箱体装置の搬送方向に沿っての縦断面図である。
【図１３】図１３は、実施例３の動力伝達と電源供給を示す説明図である。
【図１４】図１４は、実施例３のブラシベルトコンベヤの分解斜視図である。
【図１５】図１５は、実施例３の箱体装置の分解斜視図である。
【図１６】図１６は、実施例３の箱体装置の組立状態を示す斜視図である。
【図１７】図１７は、実施例３の装置ケーシング側の凹所と動力伝達機構を示す斜視図である。
【図１８】図１８は、実施例３の箱体装置の空所嵌合状態の動力伝達機構を示す説明図である。
【図１９】図１９は、図１３におけるＸ−Ｘ断面図である。
【発明を実施するための形態】
【００１２】
ブラシ研磨体としては、以下の実施例で使用したブラシベルトコンベヤの外側に植生されたブラシの復路部分全体を同時に接触させる長い長方形状の研磨板タイプと、ブラシの復路部分の一部とのみ接触する部分研磨板タイプと、又はブラシ毛の方向に接離運動する回転円筒体の表面に研磨層を形成して、ブラシに対して研磨層が回転して搬送されているブラシの毛先を研ぐタイプ等がある。
【００１３】
本発明のブラシ研磨体の板表面に形成する研磨層を形成する研磨材としては、サンドペーパー・ヤスリ・セラミック研磨布・砥石等に使用されている研磨材が使用できる。研磨材の付着の他に、研磨材を固定するベース材に微細な凹凸を設けることも効果的となる。
【００１４】
ブラシ研磨装置が、ブラシ研磨体をブラシベルトコンベヤのブラシのブラシ毛の先端と接触させるタイミングは、定期的又は不定期的に行う。実施例では、ブラシベルトコンベヤの送りの１５秒は非接触とし、その後の５秒間ブラシ研磨体に接触させることを繰り返す。これは、タイマーを使用した電子回路でも、又はコンピュータソフトでもって制御することができる。
又、ブラシ研磨体を周回運動しているブラシと接離する運動は、スプリング力・ソレノイド等の電磁吸着力を利用する運動、又は回転カム板で定期的に行うこともできる。その動作機構は種々あるが、実施例の如くスプリングと電磁ソレノイドを使用するのが制御・構造とも簡単で好ましい。
【００１５】
又、ブラシのブラシ毛の長さは図６に示すようにブラシ毛がしなって小物表面に毛先が当るようにするブラシ毛の長さが好ましい。この長さでは、ブラシ毛の先端が小物の表面の凹凸の隅に刺し込むようにして付着物を掻き出して剥離し、又ブラシ毛の曲がりによる弾性力が撥き飛ばす力を生む。
【００１６】
又、対向するブラシベルトコンベヤの配置としては、メダル搬送路が水平方向で上下方向に対向する配置が代表例であるが、メダルの搬送方向を垂直・傾斜した配置のものでもよい。又、各ブラシベルトコンベヤの対向面を小物に向って加圧できるように、ブラシベルトコンベヤの往路（対向面）を加圧する抑え板又は中間ローラを複数設けることがブラシ毛の剥離力を高めるので好ましい。
【００１７】
又、剥離物回収装置は、吸引式の電気掃除機（ゴミはフィルター袋内に収容するタイプ及びサイクロンで捕捉して小室に溜めるタイプ）の構造が採用できる。空気吸引口は対向のブラシ間の空気及びその周囲の空気とともに飛散・浮遊するゴミ・粒子・破片・ブラシの削りカス等の剥離物を空気とともに吸引して、フィルター袋内又はサイクロンの小室に収容し、多く収容されればフィルター袋・小室から排出するようにするのがよい。
【実施例】
【００１８】
（実施例１）
以下、本発明の実施例１を図面に基づいて説明する。図１〜８に示す実施例１の小物清掃装置Ｇ１は請求項（８，６，３，２，１）引用に係る発明の実施例であって、回転盤式１次小物清掃装置１０でメダルを１次清掃し、その後請求項（３，２，１）引用のブラシ清掃装置Ｇ０で２次清掃する装置例である。
ブラシ清掃装置Ｇ０は上下対向のブラシベルトコンベヤ２，３を水平の搬送路１に沿って上下に配置し、フィルター袋７６を使用した吸引式剥離物回収装置７を設け、又ブラシ研磨装置８のブラシ研磨体として、復路のブラシと全面的に接触する平板状ブラシ研磨板８１を使用している。同ブラシ研磨板８１はブラシベルトコンベヤ２，３の上下に配置し、圧縮スプリング８５によるブラシ近接方向に動かす付勢力と、ＯＮでブラシ研磨板８１に固着した磁性板（鉄片）８７に磁力を作用させて離反方向に動かす電磁ソレノイド８６の電磁吸着力とをＯＮ・ＯＦＦ通電制御で制御している。ＯＮ通電でブラシベルトコンベヤ２，３から１５秒だけブラシ研磨板８１を遠ざけ、その後５秒間だけＯＦＦしてブラシ研磨板８１を圧縮スプリング８５でブラシベルトコンベヤ２，３に近づけ、ブラシ毛２３，３３と接触して、同ブラシ毛２３，３３の毛先を研磨する。併せて、同ブラシ毛に付着したゴミ・汚れ・破片を同ブラシ毛から分離し、空気中に剥離物として飛散させる。そして、メダルｍの第１次清掃装置として、公知でよく使用されている水平な回転盤１１上面の外周領域に植生したブラシ毛１２の植毛帯と、その上方の固定のブラシ毛１４との間を、メダルが回転盤１１の回転力による遠心力で通過する際上下のブラシ毛間でメダルを清掃・研磨する回転盤式１次小物清掃装置１０を設け、その１次清掃したメダルｍを前記ブラシ清掃装置Ｇ０の上下対向のブラシベルトコンベヤ２，３のブラシ間のメダル搬送路に沿って送り出す例であり、メダルｍは遊技店の遊技機に使用するメダルである。
【００１９】
（実施例の符号の説明）
Ｇ１は実施例１の小物清掃装置で、回転盤式１次小物清掃装置１０と２次清掃のブラシ清掃装置Ｇ０とからなっている。符号１〜３９はブラシ清掃装置Ｇ０の構成部分であり、１はメダルの搬送路、２，３はブラシベルトコンベヤ、２１，３１はブラシベルトコンベヤ２，３の無端ベルト、２２，３２は同無端ベルトの一対のリターンローラ、２２１，３２１は各ブラシベルトコンベヤ２，３の往路と復路の間に介在させたベルト抑えを兼ねた中間ローラ、２２２，３２２はリターンローラ２２，３２の延長部分である回転軸、２３，３３は無端ベルト２１，３１の外側ベルト面に多数植毛したブラシ毛、２４，３４はリターンローラ２２，３２の回転軸に軸着した平ギアで、上下のリターンローラ２２，３２の各平ギア２４，３４は互に噛合していてリターンローラ２２，３２は互に逆方向に回転する。３５はリターンローラ３２の回転軸３２２に軸着したベルト車、３６はブラシベルトコンベヤ２，３の駆動用モータ、３７は同駆動モータの出力軸に軸着したベルト車、３９は搬送路１の終端の排出シュートである。
ブラシベルトコンベヤ２，３の回動機構は図３に示している。モータ３６の出力軸に取付けたベルト車３７とリターンローラ３２に取付けたベルト車３５とを伝動ベルト３８で伝動し、上下のブラシベルトコンベヤ２，３はその無端ベルト２１，３１のリターンローラ２２，３２に軸支した平ギア２４，３４の噛合で、上下一対のブラシベルトコンベヤ２，３は互に反対方向に周回させている。
【００２０】
又、７は剥離物回収装置であり、７１はブラシベルトコンベヤ２，３の下流側の位置に設けた空気吸引口、７２は同空気吸引口に負圧を発生させるためのファンと吸引した剥離物収容用フィルター袋７６を中間に脱着自在に備えたよく知られた掃除機の構造と同じであるので詳細は省略した回収装置本体部、７３は排気口、７４は空気吸引口と回収装置本体部７２とを連通する空気路、７５は空気路７４の空気圧を負圧にするファン、７６は剥離物回収のフィルター袋で、詳細図面は省略している。
【００２１】
８はブラシ研磨装置であり、８１はブラシ研磨体であるブラシ研磨板、８１２は同ブラシ研磨板の表面に形成された研磨層、８２はブラシ研磨板８１を固定フレーム８３に対し上下動自在に取付けるブラシ研磨板８１に取付けた上下案内ピン、８３は固定フレーム、８４は欠番、８５はブラシ研磨板８１をブラシベルトコンベヤ２，３の方向へ付勢する圧縮スプリング、８６は固定フレーム８３の中央部に設けた電磁ソレノイド、８７はブラシ研磨板８１の裏面の中央に取付けた磁性板（鉄片）、電磁ソレノイド８６は１５秒通電されて作動して磁性板８７を吸着し、ブラシ研磨板８１を回転ブラシ２，３から遠くに離す。その後５秒非通電して電磁吸着力をなくして、ブラシ研磨板８１を圧縮スプリング８５の付勢力でブラシベルトコンベヤ２，３に接触させ、ブラシ毛を５秒間接触させるようにしているその電気制御部（図示せず）を有している。
【００２２】
図中、１０は第１段目の回転盤式１次小物清掃装置、１１はその回転盤、１１１は回転盤１１の中央領域のメダル受面、１１２は回転盤１１の回転軸、１２は回転盤１１の上面の外周領域に上方に向けて植毛された環状のブラシ毛、１３は装置ケーシング、１３１はメダルｍのメダル投入口、１３２は回転盤上面の外周領域の上側のブラシ毛を下方向に向けて植生する固定フレーム、１３３は回転盤１１を収める環状ケーシング部、１４は同固定フレームの下面に下向きに植生されたブラシ毛、１５は回転盤１１の回転軸１１２を回転させるモータ、１５１は伝動ベルト、１６は装置ケーシング１３の環状ケーシング部１３３の一部を開口して搬送路１にメダルｍを送り込むメダル送出口である。
【００２３】
（実施例の動作）
実施例の小物清掃装置Ｇ１では、使用されたメダルｍは回転盤式１次小物清掃装置１０のメダル投入口１３１からランダムに投入される。投入されたメダルｍは回転盤１１の中央領域のメダル受面１１１で受けられる。回転盤１１はモータ１５で高速回転していて回転盤１１のメダル受面１１１及びその外周領域に置かれたメダルｍは回転による遠心力が作用し、メダルｍは半径方向に（螺旋的軌跡でもって）加速されて、回転盤１１のブラシ毛１２と固定フレーム１３２のブラシ毛１４とのブラシ毛間を通過して又環状ケーシング部１３３の内面に拘束されて、ブラシ毛１２，１４によってブラッシングを受けて一次的に清掃され、適当なタイミングでメダル送出口１６からメダルを搬送路１へ送り出す。
この回転盤式１次小物清掃装置１０によってメダルｍは１次的にかなり清掃される。
【００２４】
回転盤式１次小物清掃装置１０からブラシ清掃装置Ｇ０の搬送路１に送り込まれたメダルｍは上下対向のブラシベルトコンベヤ２，３のブラシ毛間の搬送路１を通過する過程で、上下のブラシ毛２３，３３によってメダルｍの表面・裏面の凹凸の隅までブラシ毛２３，３３の先端が刺し込まれて１次清掃で除去されないで残っているゴミ・汚れ・粒子をブラシ毛２３，３３の毛先で掻き出してこれら付着物をメダルｍから剥離し、又そのブラシ毛２３，３３の変形による弾性力で剥離物を外周へ飛散・放出させる。その状態を図６に説明している。
この上下のブラシベルトコンベヤ２，３のブラシ毛２３，３３は搬送路１に沿って長くなることで充分に２次清掃を行う。
【００２５】
又、無端ベルト２１，３１の中間に回転自在な中間ローラ２２１，３２１を設けているので、通過するメダルｍによって無端ベルト２１，３１が上下に変位するのを同中間ローラがその変位を抑えて、ブラシ毛２３，３３をメダルｍの方向に押し付けてブラシ毛によるメダルｍの付着物の剥離力を高める。
【００２６】
ブラシベルトコンベヤ２，３のブラシ毛２３，３３は、使用開始時は図７（ａ）の如くブラシ毛２３，３３の毛先はブラシ毛を直角に切断面を有し、エッジ２３１，３３１を有しているが、使用していると図７（ｂ）の如くエッジ２３１，３３１にゴミ・汚れ２３２，３３２が付着したり、又丸味２３３，３３３を帯びてきてブラシ毛２３，３３の剥離力が低下する。
【００２７】
本実施例では、ブラシ清掃装置Ｇ０の電気制御部（図示せず）は１５秒間電磁ソレノイド８６に通電し、電磁ソレノイド８６の吸磁力を発生させて、ブラシ研磨板８１に固着した磁性板（鉄片）８７を圧縮スプリング８５の付勢力に抗して固定フレーム８３側に引き寄せてブラシ研磨板８１をブラシベルトコンベヤ２，３のブラシ毛２３，３３の毛先と接触しないように遠ざける。１５秒間遠ざけた後、電気制御部は電磁ソレノイド８６への通電をＯＦＦ（停止）して約５秒間程非通電とすることを繰り返す。これによって、電磁吸着力が失われてブラシ研磨板８１は圧縮スプリング８５の付勢力でブラシ研磨板８１の研磨層８１２が回転しているブラシ毛２３，３３の毛先に５秒間程接触し、ブラシ毛２３，３３のエッジ２３１，３３１に付着したゴミ・汚れ２３２，３３２を剥離除去する。又、ブラシ毛２３，３３の丸味２３３，３３３を帯びたエッジ２３１，３３１を研磨してエッジ２３１，３３１を回復して図７（ｃ）の如くエッジを有する状態にする。
これによって、ブラシ毛２３，３３の毛先の付着物の除去とエッジの回復によってブラシ毛の剥離力を高く維持できる。
【００２８】
ブラシベルトコンベヤ２，３でメダルｍの表面に付着したゴミ・汚れ・粒子は、ブラシ毛２３，３３の毛先とブラシのしなりによって付着物を剥離して空気中に飛散させるが、このブラシベルトコンベヤ２，３の下方位置に剥離物回収装置７の空気吸引口７１があり、ファン７５によって負圧にされているので、ブラシベルトコンベヤ２，３によって空気中に浮遊・飛散している剥離物、又はブラシ毛等に軽く再付着した剥離物は空気吸引口７１の負圧によって空気とともに吸引され、回収装置本体７２の内部にあるフィルター袋７６によって収容され、空気のみ排気口７３から大気へ戻される。フィルター袋７６の収集された剥離物が満杯となればフィルター袋７６とともに外されて捨てられ、新しい空のフィルター袋７６と交換される。
【００２９】
この実施例１の小物清掃装置Ｇ１は前段に回転盤式１次小物清掃装置１０による１次清掃があるので、２段階の清掃を行うこと及び往復路長さが長いブラシベルトコンベヤ２，３を採用したこと及びブラシ研磨装置８でブラシ毛にエッジを確保できることで、長時間メンテナンスフリーで長時間高い剥離力・清掃力を維持できる。又、ブラシの交換・ブラシの洗滌等の作業が大巾に省略できるようになった。
【００３０】
図９に示す実施例２は、図１〜８に示す実施例１においてブラシベルトコンベヤ２，３の中間ローラ２２１，３２１で無端ベルトの中央位置においてブラシ毛２３，３３をメダルｍに押圧することに代え、板状の抑え板５でもって行わせる例としたものである。他の構造・作用効果は図１〜８に示す実施例Ｇ１と略同様である。又、符号も共通としている。
【００３１】
図１０〜１９に示す実施例Ｇ３は、前記実施例Ｇ１において上下対のブラシベルトコンベヤ２，３及び上下にあるブラシ研磨装置８を一つの箱体１８内に装置した別体の箱体装置１９とし、この箱体装置１９をブラシ清掃装置の装置ケーシング１３の小物の搬送路途中の空所１７に脱着自在に嵌合することで前記実施例と同じ構造にでき、又嵌合によってブラシベルトコンベヤ２，３の動力も装置ケーシング側に固定的に設けたモータ動力がブラシベルトコンベヤ側に伝動できるようにし、又ブラシ研磨装置８も電源がコネクタで接続することで作動できるようにした例である。又、実施例１同様に空気吸引式の剥離物回収装置７及び回転盤式１次小物清掃装置１０を設けた例である。
【００３２】
この例では、箱体装置１９はブラシ清掃装置の装置ケーシング１３の空所１７から脱着自在であり、しかも各ブラシベルトコンベヤ２，３も箱体１８から簡単に取り出し、露出できることでブラシベルトコンベヤ２，３の交換・清掃・補修も容易に行える。又、ブラシ研磨装置８も箱体１８と蓋体１８７との取り外しで容易に露出して点検・補修・交換が容易となる。又、実施例Ｇ１と同じ回転盤式１次小物清掃装置１０も上流側に設けている。この構造・動作は実施例１と同様であるので省略している。又、空気吸引式の剥離物回収装置７の構造・動作も実施例１と同様であるので省略している。
【００３３】
（符号の説明）
図１０〜１９中、符号１７は装置ケーシング１３に設けた空所、１８は箱体、１８１は箱体１８の搬送路上流側となる前壁に設けた導入口、１８２は箱体１８の後壁に設けた送出口、１８３は導入口１８１と送出口１８２を結ぶ箱体内搬送路、１８４は箱体の左右側壁に設けた縦溝、１８５は欠番、１８６はブラシベルトコンベヤ２，３のリターンローラ２２，３２の左右端の延長部分の回転軸２２２，３２２に軸着したベアリング、１８７は箱体１８の天井面を閉鎖する蓋体、１８２８は同蓋体の外周下方に取付けたベアリング押え片、１９は箱体１８に上下のブラシ研磨装置８，ブラシベルトコンベヤ２，３，平ギア２４，３４，ベアリング１８６等を装置したカセット式の箱体装置、２０は装置ケーシング１３側に立設された平ギアスタンド２１に取付けられた駆動平ギアであって、箱体装置１９を空所１７に嵌合した状態で、リターンローラ２２，３２に軸着した下方側の平ギア３４と噛合するようになる位置に同駆動平ギアは設けられている。１８９はブラシ研磨装置８の電源線のコネクタ、２５はブラシ研磨装置８への装置ケーシング１３に設けた供給電源コードの接続コネクタである。他の構成で実施例１のものと同じものに対しては、実施例１と共通の符号を使用している。
【００３４】
箱体１８の左右側壁の構造は、図１５に示すように鋼製の２枚の側面板１８２０をベアリング１８６の厚みより少し長い寸法の間隔で配置し、その間に縦長のスペーサ１８２１を５個所配置する。スペーサ１８２１間の間隔は、ベアリング１８６の直径よりやや長い寸法とする。これらスペーサ１８２１を２枚の側面板１８２０に複数のネジ（図示せず）でもって固着して、スペーサ１８２１間に回転ブラシ２，３のベアリング１８６を落し込める４個所の縦溝１８４を形成している。そして、同縦溝１８４に面する各側面板１８２０にはリターンローラ２２，３２の回転軸２２，３２を貫通できるが、ベアリング１８６の外径よりかなり短い巾でその上方で開放された縦スリット１８２２を開口している。そして、縦溝１８４の下部には下方のベアリング１８６を所定高さで支えるベアリング受部材１８２３が２枚の側面板１８２０間に配置され、ネジで固定されている。
又、箱体１８の前後壁は側面の隅に配置された前記スペーサ１８２１間に面板１８２４を配置して、前記隅のスペーサ１８２１にネジで固定されて形成されている。この面板１８２４に搬送路の小物を通過させる水平スリット状の導入口１８１，送出口１８２が開口されている。又、送出口１８２の下に水平な空気吸引用スリット１８２６が開口されている。更に側面板１８２０，面板１８２４及びスペーサ１８２１，ベアリング受部材１８２３とネジ止めしている底板１８２７を設けている。
【００３５】
箱体１８の蓋体１８７の左右辺の下方に箱体１８の前記縦溝１８４に挿入できるベアリング押え片１８８を各辺に４体垂設している。又、蓋体１８７の裏面にはブラシ研磨装置８が取付けられている。
この蓋体１８７は箱体の上部の筒ナット１８３０にボルト１８２９で連結される。
【００３６】
箱体装置は、上記構造の箱体１８内の下部にブラシ研磨装置８を取付け、上下対のリターンローラ２２，３２のそのベアリング１８６を箱体１８の縦溝１８４に落し込んで、そのベアリング１８６を側面板１８２０とスペーサ１８２１とベアリング受部材１８２３で拘束する。これに蓋体１８７のベアリング押え片１８２８を挿入し、ボルト１８２９によって箱体１８に連結して組立てられる。
ベアリング１８６は上記側面板１８２０とスペーサ１８２１とベアリング受部材１８２３と蓋体１８７のベアリング押え片１８２８によって拘束されて固定状態となる。
【００３７】
このような構造の箱体装置１９を空所１７の境界を形成する装置ケーシング１３の部材である箱体受部材１７１に嵌合する。リターンローラ２２，３２に取付けた平ギア２４，３４は平ギアスタンド２１に取付けた駆動平ギア２０と噛合する。そして、駆動平ギア２０に連結されたベルト車２３をモータ２２の伝動ベルト２４が回動することで、上下対のブラシベルトコンベヤ２，３は互に反対方向に回転させる。
一方、箱体１８内の上下のブラシ研磨装置８は接続コネクタ１８９，２５の接続連結によって、電源が電源装置２６から給電して、そのブラシ研磨板８１を上下作動させ、ブラシベルトコンベヤ２，３のブラシ毛２３，３３を研磨する。
【００３８】
又、箱体装置１９を嵌合する装置ケーシング１３の箱体受部材１７１は、図１３に示すように装置ケーシング１３の空所１７の境界を形成する前後及び左右の垂直壁及び剥離物回収装置の上面壁から構成され、これらによって箱体１８の前後方向（搬送路方向）・左右方向及び下方向の拘束面として嵌合した箱体装置１９を装置ケーシング１３に固定している。
【００３９】
しかも、箱体１８の側壁より突出した上下対の回転軸２２，３２に軸着した平ギア２４，３４は互に噛合する。しかも、下側の平ギア３４は平ギアスタンド２１に軸支された駆動平ギア２０と噛合する。そして、この駆動平ギア２０にはベルト車２３も軸着され、固定のモータ２２の回転力を伝動ベルト２４を介してベルト車２３を回動し、駆動平ギア２０を回動させる。
この駆動平ギア２０の回転は、これと噛合する箱体装置１９の平ギア２４，３４を介してブラシベルトコンベヤのリターンローラ２２，３２を回転させる。箱体装置１９内の上下のブラシ研磨装置８は装置ケーシング１３に設けた電源コードのコネクタ２５と箱体装置側の電源線のコードのコネクター１８９を電気的にコネクター接続すれば、ブラシ研磨装置８は装置ケーシング１３側にある制御回路（図示せず）によって制御される。ブラシベルトコンベヤのブラシ毛をブラシ研磨板８１で１５秒周期で１〜５秒の間隔でブラシ研磨できるようになっている。
【００４０】
この実施例３では、ブラシベルトコンベヤの交換・点検・清掃・整備及びブラシ研磨板の清掃・補修・交換も箱体装置１９を空所１７から外して別の場所で交換・点検・清掃できるので、これら作業が迅速且つ容易にできる。しかもその完了後機能を回復した箱体装置１９を空所１７へ嵌合すれば、装着されて直ちに使用可能となる。
又、この実施例３ではリターンローラ２２，３２のベアリング１８６は箱体１８の縦溝１８４に落し込んで蓋体１８７のベアリング押え片１８２８で押え、その後蓋体１８７をボルト１８２９で箱体１８と脱着自在に固定するものであるので、ブラシベルトコンベヤ２，３のみの取り外し・挿入がきわめて迅速且つ容易である。
【産業上の利用可能性】
【００４１】
本発明は、遊技店で使うメダル又はコイン硬貨の他に、薄板の表面に凹凸・彫れ込みがある小型金属板の工業製品の清掃にも使用できる。
【符号の説明】
【００４２】
Ｇ０    ブラシ清掃装置
Ｇ１    実施例１の小物清掃装置
Ｇ２    実施例２の小物清掃装置
Ｇ３    実施例３の小物清掃装置
ｍ    小物であるメダル
１    搬送路
２，３    ブラシベルトコンベヤ
２１，３１    無端ベルト
２２，３２    リターンローラ
２２１，３２１    中間ローラ
２２２，３２２    リターンローラの回転軸
２３，３３    ブラシ毛
２３１，３３１    エッジ
２３２，３３２    エッジの付着ゴミ・汚れ
２３３，３３３    丸味
２４，３４    平ギア
３５    ベルト車
３６    モータ
３７    ベルト車
３８    伝動ベルト
３９    排出シュート
５    抑え板
７    剥離物回収装置
７１    空気吸引口
７２    回収装置本体
７３    排気口
７４    空気路
７５    ファン
７６    フィルター袋
８    ブラシ研磨装置
８１    ブラシ研磨板（ブラシ研磨体）
８１２    研磨層
８２    上下案内ピン
８３    固定フレーム
８４    欠番
８５    圧縮スプリング
８６    電磁ソレノイド
８７    磁性板（鉄片）
１０    回転盤式１次小物清掃装置
１１    回転盤
１１１    メダル受面
１１２    回転軸
１２    ブラシ毛
１３    装置ケーシング
１３１    投入口
１３２    固定フレーム
１３３    環状ケーシング部
１４    ブラシ毛
１５    モータ
１５１    伝動ベルト
１６    メダル送出口
１７    空所
１７１    箱体受部材
１８    箱体
１８１    導入口
１８２    送出口
１８３    箱体内搬送路
１８４    縦溝
１８５    欠番
１８６    ベアリング
１８７    蓋体
１８９    ブラシ研磨装置の電源コードのコネクタ
１８２０    側面板
１８２１    スペーサ
１８２２    縦スリット
１８２３    ベアリング受部材
１８２４    面板
１８２５    小物中間受部材
１８２６    スリット
１８２７    底板
１８２８    ベアリング押え片
１８２９    ボルト
１８３０    筒ナット
１９    箱体装置
２０    駆動平ギア
２１    平ギアスタンド
２２    モータ
２３    ベルト車
２４    伝動ベルト
２５    接続コネクタ
２６    電源装置
【図１】
2017058968.tif 000003
【図２】
2017058968.tif 000004
【図３】
2017058968.tif 000005
【図４】
2017058968.tif 000006
【図５】
2017058968.tif 000007
【図６】
2017058968.tif 000008
【図７】
2017058968.tif 000009
【図８】
2017058968.tif 000010
【図９】
2017058968.tif 000011
【図１０】
2017058968.tif 000012
【図１１】
2017058968.tif 000013
【図１２】
2017058968.tif 000014
【図１３】
2017058968.tif 000015
【図１４】
2017058968.tif 000016
【図１５】
2017058968.tif 000017
【図１６】
2017058968.tif 000018
【図１７】
2017058968.tif 000019
【図１８】
2017058968.tif 000020
【図１９】
2017058968.tif 000021